(57)【要約】  【課題】被掛止物を掛止するフック部を有する掛止具であって、各種の壁面等の被貼着面に貼着される掛止具を形成するためのシートに関し、部品点数が少なく、且つ簡単な構成の掛止具を形成するための掛止具形成用シートを提供することを課題とする。  【解決手段】全体がシート状に形成されたシート本体を具備し、掛止具として形成される際には前記シート本体の一部を折り曲げて起立させることで、該起立した部分がフック部として形成され、起立していない部分が被貼着面への貼着部として形成されるように構成されていることを特徴とする。【選択図】図１
2007319466.tif 000002
【特許請求の範囲】
【請求項１】
掛止具を形成するためのシートであって、全体がシート状に形成されたシート本体（１）を具備し、掛止具として形成される際には前記シート本体（１）の一部を折り曲げて起立させることで、該起立した部分がフック部（３）として形成され、起立していない部分が被貼着面への貼着部として形成されるように構成されていることを特徴とする掛止具形成用シート。
【請求項２】
少なくとも１以上のフック部（３）の両側に折曲線部を介して少なくとも１対の貼着部が配設され、該少なくとも１対の貼着部を相互に近接させるように移動させつつ該貼着部がフック部（３）に対して折曲可能となるように構成されている請求項１記載の掛止具形成用シート。
【請求項３】
フック部（３）が、中央の折曲線部（７）を介して折り曲げられて起立する１対のフック形成片（４ａ）、（４ｂ）によって構成されている請求項１又は２記載の掛止具形成用シート。
【請求項４】
フック部（３）の上縁に、被掛止物を係入しうる凹部が形成されている請求項１乃至３のいずれかに記載の掛止具形成用シート。
【発明の詳細な説明】
【技術分野】
【０００１】
本発明は掛止具掛止用シート、さらに詳しくは、被掛止物を掛止するフック部を有する掛止具であって、各種の壁面等の被貼着面に貼着される掛止具を形成するためのシートに関する。
【背景技術】
【０００２】
従来より、被掛止物を掛止するフック部を有する掛止具であって、各種の壁面等の被貼着面に貼着される掛止具としては、種々のものが開発され、市販されている。
【０００３】
このような掛止具には種々の構造のものが存在するが、被掛止物が大がかりなもの、或いは被貼着面を有する構造物等の物体が大がかりなものとなる程、掛止具の構造も複雑となる傾向が高い。また、被貼着面への貼着が比較的困難であるような物体へ掛止具をいかにして取り付けるかということも必ずしも容易ではない場合がある。
【０００４】
たとえば男子用小便器の壁面には、尿石を除去するための薬液を小便器の壁面へ供給する薬液供給装置のようなものが取り付けられることがあり、そのような薬液供給装置を取り付ける取付機構として、たとえば下記特許文献１のような出願がなされている。
【０００５】
【特許文献１】特開２００５−３４４３４７号公報
【０００６】
この特許文献１に係る発明は、シールを壁面に貼り付け、シールに両面テープを介して取付板を貼り付け、取付板のフックにフック用開口部を介して小便器用薬液供給装置を引っ掛けることにより、装置を小便器の壁面に取り付けるようにしたものである。
【０００７】
しかし、上記のような特許文献１に開示されたフックを有する掛止具は、フックを差し込んで横方向にスライドさせるとフックを抜くのが不可能となるような複雑な構成とされており、また掛止具全体の部品点数も多くなっている。
【発明の開示】
【発明が解決しようとする課題】
【０００８】
本発明は、このような問題点を解決するためになされたもので、部品点数が少なく、且つ簡単な構成の掛止具を形成するための掛止具形成用シートを提供することを課題とする。
【課題を解決するための手段】
【０００９】
本発明は、このような課題を解決するためになされたもので、請求項１記載の発明は、掛止具を形成するためのシートであって、全体がシート状に形成されたシート本体１を具備し、掛止具として形成される際には前記シート本体１の一部を折り曲げて起立させることで、該起立した部分がフック部３として形成され、起立していない部分が被貼着面への貼着部として形成されるように構成されていることを特徴とする。
【００１０】
また請求項２記載の発明は、請求項１記載の掛止具において、少なくとも１以上のフック部３の両側に折曲線部を介して少なくとも１対の貼着部が配設され、該少なくとも１対の貼着部を相互に近接させるように移動させつつ該貼着部がフック部３に対して折曲可能となるように構成されていることを特徴とする。
【００１１】
さらに請求項３記載の発明は、請求項１又は２記載の掛止具形成用シートにおいて、フック部３が、中央の折曲線部７を介して折り曲げられて起立する１対のフック形成片４ａ、４ｂによって構成されていることを特徴とする。さらに請求項４記載の発明は、請求項１乃至３のいずれかに記載の掛止具形成用シートにおいて、フック部３の上縁に、被掛止物を係入しうる凹部が形成されていることを特徴とする。
【発明の効果】
【００１２】
本発明の掛止具形成用シートは、掛止具として形成される前には全体がシート状に形成されたシート本体を具備し、掛止具として形成される際には前記シート本体の一部を折り曲げて起立させることで、該起立した部分がフック部として形成され、起立していない部分が被貼着面への貼着部として形成されるように構成されている
ものであるため、従来のフックを有する掛止具に比べると、部品点数が少なく、しかも構成が簡単であるという効果がある。
【００１３】
また、掛止具として形成される際には掛止具本体の一部を折り曲げ起立させてフック部が形成されるが、掛止具として形成される前にはシート本体の全体がシート状で平面的なものであるので、各種材料のシート状物を所望形状に加工し或いは打ち抜き加工する等によって非常に容易に製作することができ、しかもシート状で平面的なものであるので保管時にスペースを取ることがないという効果がある。
【発明を実施するための最良の形態】
【００１４】
以下、本発明の実施形態について説明する。
【００１５】
（実施形態１）
本実施形態の掛止具形成用シートのシート本体１は、図１に示すように全体がシート状に形成され、合成樹脂等によって構成されたものである。合成樹脂の種類は特に問うものではなく、また合成樹脂以外の素材を用いることも可能であるが、後述するようにシート本体１が折り曲げられて起立され、その起立部分が、被掛止物を掛止することのできるフック部として形成されるので、シート本体１を構成する素材は、そのように折り曲げられて起立させることができる程度の可撓性及び柔軟性を有するとともに、被掛止物を掛止する際に、その被掛止物の重量に耐えることができる程度の強度を有することが必要である。
【００１６】
本実施形態１のシート本体１は、図１に示すように、壁面などの被貼着物の貼着面への貼着部分となる１対の貼着部２ａ、２ｂと、被掛止物を掛止するためのフック部３とで構成されている。フック部３は、同図のようにシート本体１の略中央に配設され、該フック部３の左右両側に、折曲線部６ａ、６ｂを介して前記貼着部２ａ、２ｂに配設されている。この貼着部２ａ、２ｂは、同図に示すように略半円形状に形成されている。
【００１７】
フック部３の上縁部５は、全体が緩やかな波形に湾曲した曲線に形成され、その上縁部５の頂部８ａの近傍は、直線に近い緩やかな曲面を描くような凸状に形成され、また前記折曲線部６ａ、６ｂに近い上縁部５の１対の根元部８ａの近傍は、前記頂部８ａに比べてやや先鋭な曲線を描くような凹状に形成されている。
【００１８】
さらに、前記フック部３の中央は、後述のようにフック部３を起立させる際の折曲部分となる折曲線部７として形成され、該折曲線部７の両側が左右対称な１対の
フック形成片４ａ、４ｂとしてそれぞれ形成されている。
【００１９】
そして、このような構成からなる掛止具形成用シートを使用する場合には、図２
乃至図４に示すように、シート本体１の１対の貼着部２ａ、２ｂを相互に近接するように移動させつつ折曲線部６ａ、６ｂを介してフック形成片４ａ、４ｂを貼着部２ａ、２ｂに対して折り曲げるとともに、該フック形成片４ａ、４ｂが相互に接触するように中央の折曲線部７を介して前記フック形成片４ａ、４ｂを折り曲げる。
【００２０】
この結果、１対のフック形成片４ａ、４ｂが相互に接触するように折り曲げられることで、該１対のフック形成片４ａ、４ｂによって構成されるフック部３は、図３及び図４に示すように、起立した状態となる。
【００２１】
そして、図３及び図４に示すように、１対の貼着部２ａ、２ｂを、壁面などの被貼着物９の貼着面１０へ貼着する。この場合、たとえば接着剤等によって貼着部２ａ、２ｂが貼着面１０へ貼着され、貼着面１０の材質や被掛止物の重量等に応じて接着剤の接着力を適宜選定することができる。また、フック形成片４ａ、４ｂの相互間は後述するように必ずしも接着する必要はないが、貼着部２ａ、２ｂを貼着面１０へ貼着する際の作業に利便性を考慮すると、フック形成片４ａ、４ｂの相互間は予め接着剤等で接着しておくことが望ましい。
【００２２】
このようにして、上記のようなシート本体１で掛止具１１が構成され、且つシート本体１の貼着部２ａ、２ｂが上述のように貼着物９の貼着面１０に貼着されることで、そのシート本体１で構成された掛止具１１が図３及び図４のように前記貼着物９に取り付けられることとなるのである。
【００２３】
この場合において、フック部３は図４に示すように貼着面１０に対して垂直な方向に突出された状態となっているので、掛止具１１として安定した状態で使用することができ、また貼着部２ａ、２ｂに近いフック部３の上縁部６の根元部８ｂ側は、
頂部８ａに比べてやや先鋭な曲面を描くような凹状に形成されているので、被掛止物の一部はこの凹状の根元部８ａに係入され、フック部３から脱落することなく確実に掛止されることとなるのである。
【００２４】
尚、図２乃至図４に示すように、フック形成片４ａ、４ｂを相互に接着して掛止具１１を構成することが貼着作業の利便性の面で好ましいことはすでに述べたとおりであるが、フック形成片４ａ、４ｂを相互に接着させず、たとえば図５及び図６に示すようにフック形成片４ａ、４ｂを離間させた状態で貼着面１０へ貼着部２ａ、２ｂを貼着させることも可能である。
【００２５】
この場合には、貼着部２ａ、２ｂの上端１２ａ、１２ｂは図５に示すように離間した状態となり、またフック部３と貼着面１０との間には図６に示すように隙間１３が形成されることとなるが、貼着部２ａ、２ｂは図６のように貼着面１０に確実に貼着され、また図５のように左右対称な状態で貼着されているので、安定した状態で貼着面１０に貼着されている点では、上記図１乃至４の場合と同様である。
【００２６】
また、１対のフック形成片４ａ、４ｂは接着されていないが、図６に示すように
平面視において頂角が鋭角である二等辺三角形状にフック部３が形成されることとなるので、フック部３に被掛止物を掛止させる上で何ら支障を生ずることがない。
従って、貼着作業の利便性の面を除いては、掛止具１１としての機能を喪失することもないのである。
【００２７】
（実施形態２）
本実施形態においては、シート本体１が、図７に示すように３つの貼着部２ａ、２ｂ、２ｃと、２つのフック部３ａ、３ｂとで構成されており、この点で、シート本体１が２つの貼着部２ａ、２ｂと１つのフック部３とで構成されていた上記実施形態１の場合と相違する。
【００２８】
両側の貼着部２ａ、２ｂの形状は上記実施形態１と同じであるが、中央の貼着部２ｃは図７のように略長方形状に形成されている。また中央の貼着部２ｃの比較的上部側には、スリット１４が形成されている。ただしこのスリット１４は必ずしも形成されていなくともよい。また２つのフック部３ａ、３ｂの形状も、上記実施形態１のフック部３と同じである。
【００２９】
シート本体１によって掛止具１１を形成する操作、作用も基本的には上記実施形態１と共通する。すなわち、両側の貼着部２ａ、２ｂを相互に近接するように移動させつつ折曲線部６ａ、６ｂを介してフック形成片４ａ、４ｂを貼着部２ａ、２ｂに対して折り曲げるとともに、該フック形成片４ａ、４ｂが相互に接触するように中央の折曲線部７を介して前記フック形成片４ａ、４ｂを折り曲げ、さらに折曲線部６ｃ、６ｄを介してフック形成片４ａ、４ｂを中央の貼着部２ｃに対して折り曲げる。
【００３０】
この結果、本実施形態においては、図８乃至図１０に示すように、２つのフック部３ａ、３ｂが起立した状態となり、３箇所の貼着部２ａ、２ｂ、２ｃを貼着面１０に貼着することで、２つのフック部３ａ、３ｂが該貼着面１０から突出された状態となる。
【００３１】
従って、本実施形態では、フック部３ａ、３ｂに被掛止物を掛止する際に、実施形態１に比べて一層安定した状態で被掛止物を掛止させることができ、実施形態１に比べて重量のある被掛止物を掛止させることが可能となる。
【００３２】
ただし、本実施形態ではシート本体１に３つの貼着部２ａ、２ｂ、２ｃと２つのフック部３ａ、３ｂが具備されているので、シート本体１の形状が実施形態１に比べて複雑となり、その分、シート本体１の加工が煩雑となる。
【００３３】
尚、本実施形態においても、上記実施形態１と同様に、フック部３を構成するフ
ック形成片４ａ、４ｂを相互に接着させず離間させた状態で貼着面１０へ貼着させることができる。すなわち図１１に示すように貼着部２ａ、２ｂの上端１２ａ、１２ｂが中央の貼着部２ｃから離間した状態となり、図１２に示すようにフック部３と貼着面１０との間に隙間１３が形成されることとなるが、３箇所の貼着部２ａ、２ｂ、２ｃで貼着され、またフック部３に被掛止物を掛止させる上で支障を生ずることがないので、掛止具１１としての機能を喪失することがない。
【００３４】
（実施形態３）
本実施形態においては、シート本体１が、中央のフック部３の両側に１対の貼着部２ａ、２ｂを配設して構成されている点で上記実施形態１と共通している。しかしながら、フック部３及び貼着部２ａ、２ｂの形状が上記実施形態１と相違している。
【００３５】
すなわち本実施形態においては、貼着部２ａ、２ｂが略長方形状に形成されているとともに、フック部３を構成するフック形成片４ａ、４ｂが略長方形状に形成され、該フック形成片４ａ、４ｂの上端部に凹部１５が形成されている。
【００３６】
シート本体１によって掛止具１１を形成する操作、作用も基本的には上記実施形態１と共通する。すなわち、両側の貼着部２ａ、２ｂを相互に近接するように移動させつつ折曲線部６ａ、６ｂを介してフック形成片４ａ、４ｂを貼着部２ａ、２ｂに対して折り曲げるとともに、該フック形成片４ａ、４ｂが相互に接触するように中央の折曲線部７を介して前記フック形成片４ａ、４ｂを折り曲げる。
【００３７】
これによって、１対のフック形成片４ａ、４ｂによって構成されるフック部３は、図１４乃至図１６に示すように起立した状態となり、その状態で貼着部２ａ、２ｂを被貼着物９の貼着面１０へ貼着する。このようにして、シート本体１で掛止具１１が構成され、被貼着物９に取り付けられることとなる。
【００３８】
この場合において、フック形成片４ａ、４ｂの上端部にそれぞれ形成されている凹部１５は、該フック形成片４ａ、４ｂが折り曲げられてフック部３が構成された際に、図１５に示すように双方の凹部１５が重ね合わされ、フック部３において１つの凹部１５として構成されることとなる。
【００３９】
従って、その凹部１５内に被掛止物の一部を係入することによって、被掛止物は
フック部３から脱落することなく確実に掛止されることとなるのである。特に、本実施形態では、凹部１５がフック形成片４ａ、４ｂの上端部を切り欠いて形成した深い溝状の形態のものであるので、被掛止物の脱落もより確実に防止されることとなるのである。
【００４０】
本実施形態においても、上記実施形態１、２と同様に、フック部３を構成するフ
ック形成片４ａ、４ｂを相互に接着させず離間させた状態で貼着面１０へ貼着させることができる。すなわち図１７及び図１８に示すように、左右の貼着部２ａ、２ｂで貼着面１０に貼着されることとなる。
【００４１】
この場合において、フック形成片４ａ、４ｂの凹部１５は相互に重ね合わされることがないので、被掛止物をフック部３に掛止させる場合には、その被掛止物の一部をフック形成片４ａ、４ｂのそれぞれの凹部１５、１５に係入する必要がある。しかしながら、これらの凹部１５、１５は、それぞれのフック形成片４ａ、４ｂ
の左右対称の位置に形成されているので、被掛止物をフック形成片４ａ、４ｂの凹部１５、１５に係入する作業は、それほど煩雑となることはない。従って、掛止具１１としての機能を喪失することもない。
【００４２】
（実施形態４）
本実施形態においては、シート本体１が、図１９に示すように１つの貼着部２と、２つのフック部３ａ、３ｂとで構成されており、この点で、シート本体１が２つの貼着部２ａ、２ｂと１つのフック部３とで構成されていた上記実施形態３の場合と相違する。
【００４３】
貼着部２は実施形態３の貼着部２ａ、２ｂと同様に略長方形状に形成されているが、本実施形態の貼着部２は中央に１つのみ配設されているので、実施形態３に比べて幅広に形成されている。フック部３を構成するフック形成片４ａ、４ｂの形状は上記実施形態３と同じである。
【００４４】
本実施形態においては、貼着部２が中央に形成されているとともに、その両側に
フック形成片４ａ、４ｂが形成されているので、上記実施形態１乃至実施形態３のように左右の貼着部を相互に近接させてフック形成片４ａ、４ｂを起立させるという作用とは厳密には同じではない。
【００４５】
しかしながら、図２０乃至図２２のようにフック部３の中央の折曲線部７ａ、７ｂを介してそれぞれフック形成片４ａ、４ｂを折り曲げるとともに、貼着部２との境界部分である折曲線部６ａ、６ｂを介して貼着部２に対してフック部３を折り曲げるので、フック形成片４ａ、４ｂを折り曲げ、起立させてフック部３を形成する点では上記各実施形態と同じである。
【００４６】
本実施形態では、上記各実施形態のようにフック部の両側に貼着部が存在せず、片側にのみ貼着部が配設されているにすぎないので、上記各実施形態とは異なり、
フック形成片４ａ、４ｂの相互間は予め接着しておくことが必要である。
【００４７】
本実施形態においても、実施形態２と同様に２つのフック部３ａ、３ｂが起立した状態となり、２つのフック部３ａ、３ｂが該貼着面１０から突出された状態となるので、フック部３ａ、３ｂに被掛止物を掛止する際に、安定した状態で被掛止物を掛止させることができる。
【００４８】
（実施形態５）
本実施形態においては、シート本体１が、中央のフック部３の両側に１対の貼着部２ａ、２ｂを配設して構成されている点で上記実施形態１や実施形態３と共通している。しかしながら、フック部３及び貼着部２ａ、２ｂの形状が上記実施形態１と相違している。
【００４９】
すなわち本実施形態においては、図２３に示すように貼着部２ａ、２ｂが略三角形状に形成されているとともに、フック部３を構成するフック形成片４ａ、４ｂも略三角形状に形成されている。
【００５０】
両フック形成片４ａ、４ｂの境界線部に存在するフック部３の中央の折曲線部７は、上記各実施形態と同様に真っ直ぐ形成されているが、フック部３とその両側のフック形成片４ａ、４ｂとの境界線部に存在する折曲線部６ａ、６ｂは、上記各実施形態と異なり、水平方向に対して４５度の角度をなすように斜めに形成されている。
【００５１】
このように略三角形状に形成されたフック形成片４ａ、４ｂの両側に、斜め４５度の折曲線部６ａ、６ｂを介して略三角形状の貼着部２ａ、２ｂが配設されている結果、シート本体１の全体は略長方形状に形成されている。
【００５２】
そして、前記フック部３の中央の折曲線部７上には、略三角形状の孔１６が穿設されている。
【００５３】
シート本体１によって掛止具１１を形成する操作、作用も基本的には上記実施形態１と共通する。すなわち、両側の貼着部２ａ、２ｂを相互に近づけるように折曲線部６ａ、６ｂを介してフック形成片４ａ、４ｂを貼着部２ａ、２ｂに対して折り曲げるとともに、該フック形成片４ａ、４ｂが相互に接触するように中央の折曲線部７を介して前記フック形成片４ａ、４ｂを折り曲げる。
【００５４】
この結果、１対のフック形成片４ａ、４ｂによって構成されるフック部３は、図２４乃至図２６に示すように起立した状態となり、その状態で貼着部２ａ、２ｂを被貼着物９の貼着面１０へ貼着する。このようにして、シート本体１で掛止具１１が構成され、被貼着物９に取り付けられ、フック部３が起立して貼着面１０から突出された状態となる。
【００５５】
この場合において、フック部３の中央の折曲線部７上、すなわち左右のフック形成片４ａ、４ｂの境界線部上に形成されていた孔１６は、そのフック形成片４ａ、４ｂが折曲線部７を介して折り曲げられて重ね合わされた際に、図２５に示すように略三角形状の切欠凹部１７となる。
【００５６】
従って、その切欠凹部１７内に被掛止物の一部を係入することによって、被掛止物はフック部３から脱落することなく確実に掛止されることとなるのである。本実施形態においても、この切欠凹部１７は、略三角形状の孔１６を２つ折りすることによって、溝状部分を有するような略三角形状に形成されたものとなるので、上記各実施形態と同様に被掛止物の脱落が好適に防止されることとなる。
【００５７】
本実施形態においても、上記実施形態１乃至３と同様に、フック部３を構成するフック形成片４ａ、４ｂを相互に接着させず離間させた状態で貼着面１０へ貼着させることができる。すなわち図２７及び図２８に示すように貼着部２ａ、２ｂの下端１８ａ、１８ｂが離間した状態となるが、２箇所の貼着部２ａ、２ｂ貼着され、またフック部３に被掛止物を掛止させる上で支障を生ずることがないので、本
実施形態においても掛止具１１としての機能を喪失することがない。
【００５８】
（実施形態６）
本実施形態においては、シート本体１が、中央のフック部３の両側に１対の貼着部２ａ、２ｂを配設して構成されている点で上記実施形態１、実施形態３、実施形態５と共通している。しかしながら、フック部３の形状が上記実施形態１と相違している。
【００５９】
本実施形態では、図２９に示すように、中央のフック形成片４ｃの両側に折曲線部７ａ、７ｂを介してフック形成片４ａ、４ｂが形成されることによりフック部３が構成されている。すなわち、本実施形態では３つのフック形成片４ａ、４ｂ、４ｃによってフック部３が形成されている。
【００６０】
中央のフック形成片４ｃは略長方形状に形成され、また両側のフック形成片４ａ、４ｂは、略長方形状に形成されているとともに上端及び下端に凹部１５が形成された形状とされている。
【００６１】
シート本体１によって掛止具１１を形成する操作、作用も基本的には上記各実施形態と共通する。すなわち、両側の貼着部２ａ、２ｂを相互に近づけるように折曲線部６ａ、６ｂを介してフック形成片４ａ、４ｂを貼着部２ａ、２ｂに対して折り曲げるとともに、折曲線部７ａ、７ｂを介して中央のフック形成片４ｃに対して両側のフック形成片４ａ、４ｂを折り曲げる。
【００６２】
この結果、本実施形態においては、図３０乃至図３２に示すように、３つのフック形成片４ａ、４ｂ、４ｃからなるフック部３が略コ字状に折り曲げられて、貼着面１０から立体的な凸状に突出された状態となる。従って、本実施形態では上記実施形態１乃至５のように、フック形成片４ａ、４ｂが相互に接着されてフック部３が形成されることはない。
【００６３】
そして被掛止物を掛止する場合には、フック部３を構成する左右のフック形成片４ａ、４ｂの上端に形成された凹部１５に被掛止物の一部を係入することによって、被掛止物はフック部３から脱落することなく確実に掛止されることとなる。特に本実施形態においては、フック部３自体は１つであるが、掛止部分となる凹部１５が左右のフック形成片４ａ、４ｂにそれぞれ形成されているので、被掛止物を安定した状態でフック部３に掛止することができ、またある程度重量のある被掛止物を掛止することも可能となる。
【００６４】
（その他の実施形態）
尚、本発明の掛止具形成用シートによって形成される掛止具は、種々の用途に適用することができ、その用途は問うものではないが、たとえば男子用小便器の壁面に設置される薬液供給装置を掛止するための掛止具として使用することも可能である。
【００６５】
この場合には、利用直後に水洗がなされるので、水を通過させるための孔や空間がシート本体１に形成されることが望ましいが、上記実施形態２のようなスリット１４が形成されていることで（図７）、そのスリット１４で包囲された部分を折り曲げる等によって水を通過させる孔や空間を形成することが可能となり、また上記実施形態１、２、３等において、フック形成片４ａ、４ｂを相互に接着させない場合に形成される隙間１３（図６、図１２、図１８）は、水を通過させる孔や空間に相当するものである。
【００６６】
尚、このような男子用小便器の壁面に設置される薬液供給装置を掛止する用途以外の用途、たとえば室内においてハンガーその他の各種のものを掛止するための掛止具としても使用することができ、さらにはこれ以外の掛止具に使用することもできる。
【００６７】
また上記実施形態では、シート本体１が合成樹脂によって構成される場合について説明したが、シート本体１の材質も該実施形態に限定されるものではない。たとえば金属やＦＲＰ等で構成することも可能である。
【００６８】
さらに、シート本体１の形状も上記各実施形態に限定されるものではなく、フック部や貼着部自体のそれぞれの形状や、シート本体１に具備されるフック部や貼着部の個数或いは配置状態を適宜変えることにより、シート本体１を種々の形状に形成することが可能となる。
【００６９】
さらにシート本体１の貼着部を貼着面に貼着する手段も限定されるものではなく、
接着剤による接着手段、たとえば面ファスナーやマグネット、その他の手段を使用することが可能である。接着剤を用いる場合には、貼着面の材質や被掛止物の重量等を考慮して、接着剤の接着力の強さを選定する必要がある。
【図面の簡単な説明】
【００７０】
【図１】一実施形態の掛止具形成用シートの正面図。
【図２】フック部を起立させて掛止具を形成した状態の正面図。
【図３】同側面図。
【図４】同平面図。
【図５】同実施形態の他の使用態様を示す正面図。
【図６】同平面図。
【図７】他実施形態の掛止具形成用シートの正面図。
【図８】フック部を起立させて掛止具を形成した状態の正面図。
【図９】同側面図。
【図１０】同平面図。
【図１１】同実施形態の他の使用態様を示す正面図。
【図１２】同平面図。
【図１３】他実施形態の掛止具形成用シートの正面図。
【図１４】フック部を起立させて掛止具を形成した状態の正面図。
【図１５】同側面図。
【図１６】同平面図。
【図１７】同実施形態の他の使用態様を示す正面図。
【図１８】同平面図。
【図１９】他実施形態の掛止具形成用シートの正面図。
【図２０】フック部を起立させて掛止具を形成した状態の正面図。
【図２１】同側面図。
【図２２】同平面図。
【図２３】他実施形態の掛止具形成用シートの正面図。
【図２４】フック部を起立させて掛止具を形成した状態の正面図。
【図２５】同側面図。
【図２６】同平面図。
【図２７】同実施形態の他の使用態様を示す正面図。
【図２８】同平面図。
【図２９】他実施形態の掛止具形成用シートの正面図。
【図３０】フック部を起立させて掛止具を形成した状態の正面図。
【図３１】同側面図。
【図３２】同平面図。
【符号の説明】
【００７１】
１…シート本体            ２ａ、２ｂ、２ｃ…貼着部
３…フック部              ４ａ、４ｂ…フック形成片
６ａ、６ｂ…折曲線部      ７…折曲線部
１１…掛止具
【図１】
2007319466.tif 000003
【図２】
2007319466.tif 000004
【図３】
2007319466.tif 000005
【図４】
2007319466.tif 000006
【図５】
2007319466.tif 000007
【図６】
2007319466.tif 000008
【図７】
2007319466.tif 000009
【図８】
2007319466.tif 000010
【図９】
2007319466.tif 000011
【図１０】
2007319466.tif 000012
【図１１】
2007319466.tif 000013
【図１２】
2007319466.tif 000014
【図１３】
2007319466.tif 000015
【図１４】
2007319466.tif 000016
【図１５】
2007319466.tif 000017
【図１６】
2007319466.tif 000018
【図１７】
2007319466.tif 000019
【図１８】
2007319466.tif 000020
【図１９】
2007319466.tif 000021
【図２０】
2007319466.tif 000022
【図２１】
2007319466.tif 000023
【図２２】
2007319466.tif 000024
【図２３】
2007319466.tif 000025
【図２４】
2007319466.tif 000026
【図２５】
2007319466.tif 000027
【図２６】
2007319466.tif 000028
【図２７】
2007319466.tif 000029
【図２８】
2007319466.tif 000030
【図２９】
2007319466.tif 000031
【図３０】
2007319466.tif 000032
【図３１】
2007319466.tif 000033
【図３２】
2007319466.tif 000034